(57)【要約】【課題】  簡単な構造であってコストが安く、いつでもどこでも設置可能で、しかもネズミを確実に捕獲、死亡せしめるようにしたネズミ捕獲装置を提供することを目的とする。【解決手段】  上部を開口した開口容器１と、前記開口容器に貯水した適量の水４と、前記水に浮揚した複数の浮体２と、前記複数の浮体に載置した餌３と、からなり、前記複数の浮体は、前記餌を載置可能とするが、ネズミを載置不可能とする。浮体は、水より軽い中空構造体、及び比重が１未満の素材のいずれかまたは両方を組み合わせたものを使用することができる。【選択図】  図１
2005176814.tif 000002
【特許請求の範囲】
【請求項１】
ネズミを捕獲して処理するネズミ捕獲装置であって、
上部を開口した開口容器と、
前記開口容器に貯水した適量の水と、
前記水に浮揚した複数の浮体と、前記複数の浮体に載置した餌と、からなり、前記複数の浮体は、前記餌を載置可能とするが、ネズミを載置不可能としたことを特徴とする、ネズミ捕獲装置。
【請求項２】
請求項１に記載するネズミ捕獲装置において、
前記浮体は、水より軽い中空構造体、及び比重が１未満の素材のいずれかまたは両方を組み合わせたものであることを特徴とする、ネズミ捕獲装置。
【発明の詳細な説明】
【技術分野】
【０００１】  本発明は、ビルや飲食店、あるいは一般家庭内に棲息するネズミを捕獲して処理するネズミ捕獲装置に関するものである。
【背景技術】
【０００２】  ネズミは人間にとって有害な動物であり、従来より各種方法で駆除していた。
これまでの駆除方法は、バネを利用したわな、薬剤で殺す方法（特許文献１）、ネズミの出没する場所に忌避剤を設置し、センサーが感知したとき忌避剤をスプレーするもの（特許文献２）、ネズミの嫌う超音波を発する方法（特許文献３）などがあった。
【特許文献１】  特開平１０−３２７７３４号公報
【特許文献２】  特開平８−２１４７６０号公報
【特許文献３】  特開平７−１０７８９３号公報
【発明の開示】
【発明が解決しようとする課題】
【０００３】  しかしながら、バネを利用したわなは捕獲率が低く、薬剤で殺す方法は縁の下や天井裏で死んで腐敗するため、不潔である。
また、ネズミが出没する場所にセンサーとともに忌避剤を設置したり、超音波を発する方法は、装置が複雑でコストが高く、しかも設置場所が限定される。【０００４】  本発明は、簡単な構造であってコストが安く、いつでもどこでも設置可能で、しかもネズミを確実に捕獲、死亡せしめるようにしたネズミ捕獲装置を提供することを目的とする。
【課題を解決するための手段】
【０００５】  上記のような目的を達成するために、本発明のネズミ捕獲装置は、ネズミを捕獲して処理するネズミ捕獲装置であって、上部を開口した開口容器と、前記開口容器に貯水した適量の水と、前記水に浮揚した複数の浮体と、前記複数の浮体に載置した餌と、からなり、前記複数の浮体は、前記餌を載置可能とするが、ネズミを載置不可能としたことを特徴とするものである。
ここで前記浮体として水より軽い中空構造体、及び比重が１未満の素材のいずれかまたは両方を組み合わせたものを使用することができる。【０００６】  上記課題解決手段による作用は次のとおりである。
上部を開口した開口容器に適量の水を貯え、水面に発泡スチロールなど複数の浮体を浮かべ、その略中央にネズミが好む餌を載置する。
浮体は、水より軽い中空構造体や比重が１未満の素材のため、容易に水面に敷きならべることができる。
このようにしてつくったネズミ捕獲装置をネズミが出没する場所に設置しておけば、ネズミは餌の匂いにおびき寄せられて近づき、やがて容器内の餌に飛びつくことになる。
浮体は、餌を載置可能とするが、ネズミがその上に載った場合はネズミの重量を支えきれずひっくり返るか、水中に沈むようになっているので、ネズミが飛び載った瞬間にネズミは、水中に転落することになる。
このため、ネズミは水中で窒息し、死亡する。
【発明の効果】
【０００７】  本発明のネズミ捕獲装置は、以上説明したようになるから次のような効果を得ることができる。
＜イ＞開口容器に水を貯水し、水面に浮体を敷きならべて餌を載置するだけでよく、極めて簡単な構造である。
＜ロ＞一般家庭に備えられている容器（バケツなど）、浮体（発泡スチロールなど）、水、餌（人間が食べ残した食品など）を利用して簡単につくることができるため、費用がほとんどかからない。
＜ハ＞簡単な構造であるから、いつでもどこでもすぐ設置でき、しかも何回でも使用することができる。
＜ニ＞餌をとろうとするネズミは必ず水中に落ちるため、確実に捕獲、死亡せしめる。
【発明を実施するための最良の形態】
【０００８】  以下、図面を参照しながら、本発明に係る実施の形態について説明する。
図１は、ネズミ捕獲装置を示す斜視図である。図２は、ネズミ捕獲装置の断面図である。【０００９】＜イ＞ネズミ捕獲装置（図１）
本発明のネズミ捕獲装置１０は、開口容器１、開口容器１に貯水した適量の水４、水４に浮揚した浮体２、浮体２に載置する餌３とからなる。【００１０】＜ロ＞開口容器（図１）
開口容器１は側面と底面を有し、上部のみ開口されたものである（図１は、開口容器１の一部を切り欠いて示している）。
開口容器１の大きさは、ネズミが溺れ死ぬことができる大きさであればよく、例えば直径４０センチメートルで高さ３５センチメートル程度のやや大き目のバケツなどが好ましい。
このバケツに深さが略１８センチメートル程度になるように、水４を貯水しておく。
開口容器１はプラスチックや金属などで構成し、内側は滑らかな平面に形成しておく。
また、開口容器１の形状は、バケツのような筒形に限らず、箱形、角柱形、錐形など各種形状とすることができる。【００１１】＜ハ＞浮体
浮体２は、開口容器１の水面に浮き、その上に餌３を載せるためのものである。
浮体２は水より軽い中空構造体、及び比重が１未満の素材で、例えばプラスチック部材、発泡スチロール、籾殻、木の葉、木片など手軽に入手できるものを使用することができる（なお、これらに限らず、水４に浮かんで餌３を載せることができるものであればよい）。
浮体２で水面の大部分（５０パーセント以上）を覆うことによって、ネズミが危険を感じる水の臭いを消し去ることができる。
浮体２は一つでなく、複数とすることが必要である。
浮体２が大きすぎると、ネズミを支えるので水に転落させることができない。特に子ネズミは比較的小さい浮体でも転落しない。逆に小さい浮体は餌３を水上に保持できない。
そこで、ネズミが必ず転落する程度の小さな浮体２（例えば２〜５センチメートル四方の大きさ）を複数浮かべることで餌３を支えるようにする。
この浮体２の量は、水面の一部でもよいが、全面を覆うと移動せず安定し、ネズミに安心感を与えるので、さらに良い。
あるいは、これらを水面に浮かべるとともに船（子供が風呂で遊ぶ玩具）などに餌３を載せてもよい。
このように浮体２は餌３を載置可能とするが、ネズミがその上に載った場合はネズミの重量を支えきれずひっくり返るか、水中に沈み込むものでなければならない。
これによって、ネズミを確実に水中に転落させることができる。【００１２】＜ニ＞餌
餌３は、ネズミが好んで食するものを使用する。例えば小麦、トウモロコシ、魚、大豆、米、さつま揚げ、果物など被害の多い食品を単独または組み合わせて使用することができる。魚、肉類など匂いの強い食品も好ましい。
これらの餌３は、家庭内での食べ残した食品をそのまま使用することができ、特別にネズミの餌として購入したり、準備したりする必要がないので、手軽で便利である。【００１３】  次に、ネズミ捕獲装置１０を使用する場合について説明する。
先ずバケツ（直径４０センチメートルで高さ３５センチメートル程度）など上部が開口された開口容器１を用意し、これに水４を深さが１８センチメートル程度となるように注水する。
複数の切片からなる浮体２をバケツ１の水面に浮かべ、その略中央にネズミが好む餌３を載置する。
このようにして本発明のネズミ捕獲装置１０をネズミが出没する場所、例えばレストランの厨房や土間の隅、一般家庭の台所の隅に設置しておけば、ネズミは餌の匂いにおびき寄せられて壁や棚伝いに容器１内の餌３に飛びつくことになる。
隅に設置しないで広い場所に設置する場合は、例えば棒５などを地面から開口容器１上端まで立てかけておけば（図３参照）、簡単にネズミを誘導することができる。即ち、ネズミは餌３の匂いにひかれて棒５を駆け登り、容器１内の餌３に近づいていく。
浮体２は、餌３を載置可能とするが、ネズミがその上に載った場合はネズミの重量を支えきれずひっくり返るか、水中に沈むようになっているので、ネズミが飛び移った瞬間、あるいはネズミが餌３に食らいついた瞬間にネズミは水中に転落することになる。
水中に転落したネズミは、容器１の内側が滑らかな平面のため登ることができず、容器１から脱出することができない。
このため、ネズミは水中で窒息し、確実に死亡する。餌３を補充すれば、再び別のネズミを捕獲することができる。
このように本発明のネズミ捕獲装置１０は、一度設置し、必要に応じて餌を補充するだけで何匹も連続的に捕獲することができる。
本発明によれば簡単な構造であり、一般家庭内に備えられている部材（バケツ、プラスチック、発泡スチロール、木片、木の葉など）や餌を活用してネズミ捕獲装置をつくることができ、費用がほとんどかからない。
さらにネズミの駆除が確実で、しかも何回でも使用することができ、極めて効果的である。
【図面の簡単な説明】
【００１４】
【図１】ネズミ捕獲装置の一部を切り欠いて示す斜視図。
【図２】ネズミ捕獲装置の断面図。
【図３】ネズミ捕獲装置に棒を立てかけた状態を示す斜視図。
【符号の説明】
【００１５】１・・・・開口容器
２・・・・浮体
３・・・・餌
４・・・・水
５・・・・棒
１０・・・ネズミ捕獲装置
【図１】
2005176814.tif 000003
【図２】
2005176814.tif 000004
【図３】
2005176814.tif 000005